(57)【要約】【課題】濡れた傘の水分を効率よく絞って排除し、かつ傘の布を軸に巻きつけることができる、装置を提供する。【解決手段】中央に傘を挿入する傘穴を開設した環状の部材を使用する。この部材によって、傘の布と傘穴との間で相対的に回転力を発生させる。その結果、傘の布を絞って傘の軸に巻きつけることができる。【選択図】        図１
2005052549.tif 000002
【特許請求の範囲】
【請求項１】
中央に傘を挿入する空間を開設した部材によって、
傘の布と傘穴との間で相対的に回転力を発生させ、
傘の布を絞って傘の軸に巻きつけるよう構成した、
雨傘の脱水、巻きつけ装置。
【請求項２】
回転しつつ上昇する回転昇降体を設け、
回転昇降体は中央に傘を挿入する傘穴を開設し、
回転昇降体を上昇させることによって、
回転昇降体を、傘穴へ挿入した傘の周囲に沿って回転させつつ上昇させ、
上昇中の傘の布を絞って傘の軸に巻きつけるよう構成した、
雨傘の脱水、巻きつけ装置。
【請求項３】
中央に傘を挿入する傘穴を開設した環状部材を使用し、
傘の布と傘穴との間で相対的に回転力を発生させることによって、
傘の布を絞って傘の軸に巻きつけて行う、
雨傘の脱水、巻きつけ方法。
【発明の詳細な説明】
【技術分野】
【０００１】
本発明は、雨傘の脱水、巻きつけ装置と方法に関するものである。
【背景技術】
【０００２】
多数の人の集まる施設では、雨天の際に濡れた傘を持ったまま入ると、床が濡れてしまい、危険でありかつ見た目にも不快感を与える。
ビニール袋に挿入する方法も利用されているが、使用済みの袋が散乱しやすく、美感を損ねやすい。
そのために袋でカバーするのではなく、雨傘の布から水分を脱水する装置が開発されている。
【特許文献１】特開平６−１２９７６４号公報
【特許文献２】特開平６−１２９７６５号公報
【特許文献３】特開平７−２８９３３３号公報
【特許文献４】特開平９−２６２１１３号公報
【特許文献５】特開平１１−２０１６３８号公報
【特許文献６】特開平１１−２９４９５０号公報
【特許文献７】特開２００１−２０４５２７号公報
【特許文献８】特開２００１−２６３９３９号公報
【特許文献９】特開２００１−３１７８７０号公報
【発明の開示】
【発明が解決しようとする課題】
【０００３】
前記した従来の雨傘の脱水装置は、圧縮空気で水滴を吹き飛ばすか、高吸水性の材料で水滴を吸収する構成を採用している。
そのために圧縮空気で吹き飛ばす構成では、強力なファンが必要で不経済であり、かつ騒音の発生も避ける事ができない。
また高吸水性の材料で水滴を吸収する構成では、吸水量に限界があり、かつ使用者が繰り返し吸収材料に傘を押し付ける必要があり、多数の傘を迅速に脱水するためには非効率的である。
さらに、いずれの構造のものであっても、脱水後の傘は開いたままであり、巻き取ることはできない。
【課題を解決するための手段】
【０００４】
上記のような問題を解決するために、本発明の雨傘の脱水、巻きつけ装置と方法は、中央に傘を挿入する空間を開設した部材によって、傘の布と傘穴との間で相対的に回転力を発生させ、傘の布を絞って傘の軸に巻きつける、雨傘の脱水、巻きつけ装置と方法を特徴としたものである。
【発明の効果】
【０００５】
本発明の雨傘の脱水、巻きつけ装置と方法は以上説明したようになるから次のような効果を得ることができる。
＜１＞傘の布に直接に外力を加えて、あたかも雑巾を絞るように水分を絞り取る機構、方法を採用している。そのために、従来のように周囲から間接的に圧縮空気を吹き付ける構成、方法と比較して効率よく十分な脱水を行うことができる。
＜２＞傘の布を絞る過程で、傘の布を周囲からしっかりと巻きつける構成、方法を採用している。そのために、水分を絞り取った後には、広がっていた傘の布が整然と巻きついた状態で取り出すことができる。巻き取った状態でその周囲にテープを巻き付ける構成を採用すれば、さらに持ち運びが便利である。
【発明を実施するための最良の形態】
【０００６】
本発明は、中央に傘を挿入する空間を開設した部材によって、傘の布と傘穴との間で相対的に回転力を発生させ、傘の布を絞って傘の軸に巻きつけることを特徴とする、雨傘の脱水、巻きつけ装置と方法である。
【実施例】
【０００７】
以下図面を参照しながら本発明の雨傘の脱水、巻きつけ装置と方法の実施例について説明する。
【０００８】
＜１＞全体の構成。
本発明の構成と方法は、中央に傘を挿入する空間を開設した部材によって構成する。
この部材は環状の部材に限らず、内部に傘が挿入できる空間が設けてあればよい。この部材よって、傘の布と傘穴との間で相対的に回転力を発生させ、傘の布を絞って傘の軸に巻きつける。
この場合に傘を回転させずに相対的な回転力を発生させるために、以下のような構成を採用することができる。なお、相対的な回転力を発生させるために、傘の方を回転させる構造であれば、部材は環状である必要はなく、傘を挿入する空間を開設したブロック体でもよい。
【０００９】
＜２＞回転昇降体。
環状の部材として回転昇降体２を使用する例である。
すなわち、円筒状の外筒１の内部に、回転しつつ上昇する回転昇降体２を設ける。
この回転昇降体２は中央に傘Ａを挿入する傘穴２１を上下方向に貫通して開設する。
傘穴２１の内面には、傘の布との相対的な回転力を発生させ易いように摩擦の大きい布や、吸水性の大きい吸水材を取り付ける。
ただし、後述するように傘の布から絞った水は、そのまま落下させるから、必ずしも吸水性能が特に大きい材料を取り付ける必要はない。
そしてこの回転昇降体２が、傘穴２１へ挿入した傘Ａの周囲に沿って回転しつつ、上昇すると、傘Ａの布を周囲から絞って巻き付ける。
その結果、雑巾を絞るように傘Ａの布の水分を絞って、下部に設置した受水タンク４に回収することができる。
受水タンク４は外部へ取り出しが可能であり、満杯になる前に内部の水を廃棄する。
【００１０】
＜３＞上昇、回転させる構成。
実施例において回転昇降体２に回転を与える構成として、外筒１の内面に上下方向に螺旋を描く螺旋レール３を配置する。
この螺旋レール３に沿って、回転昇降体２を上昇させることによって、回転を生じさせることができる。
そのために回転昇降体２の側面に螺旋溝を刻設し、この螺旋溝の内部に螺旋レール３を嵌合させた構成を採用することができる。
あるいは回転昇降体２の側面には車輪を突出させ、一方螺旋レール３は断面コ字状に形成し、この螺旋レール３の内部に車輪を位置させる構成を採用することもできる。
上記のような回転昇降体２を、下からリンクで押し上げれば、回転昇降体２は回転しつつ螺旋レール３に沿って上昇する。
下からの押し上げには、押し上げリンクの上端にべアリングなどを設置しておき、ベアリングを回転昇降体２の下面に押し当てることによって、鉛直方向の押し上げ力だけを回転昇降体２に伝達することができ、回転によっても押し上げリンクは回転しない構成を採用する。
回転昇降体２の押し上げは、外筒１の外部に足踏み板を露出させ、この板と鉛直方向に配置した押し上げリンクとをピンで回転自在に連結した構成を採用することができる。
あるいは鉛直方向に伸張、短縮する油圧ジャッキの伸張、モータの回転によって鉛直方向にスライドするラックとピニオンの組み合わせなどの公知の構成によって行うことができる。
【００１１】
＜４＞使用方法。
使用に際しては、回転昇降体２が最下部に位置させる。
その状態で、回転昇降体２の傘穴２１へ傘Ａを挿入する。
そして、手で傘の回転を阻止した状態に支持する。
そして昇降体を足踏みリンクやジャッキの伸張、モータによるギアの回転などで上昇させる。
すると、回転昇降体２は上昇しつつ回転する。
その結果、傘Ａの布は水分を絞られる。
同時に傘Ａの布は、周囲から傘Ａの軸へ巻きつけられる。
したがって本発明の装置を設置しておけば、雨天の際に多数の人の出入りがあっても傘から水滴が垂れることがなく、床面を汚すことがない。
またビニール袋を使用することがないから、使用後の袋が散乱するようなことがなく、袋の供給を不要であるから経済的である。
【図面の簡単な説明】
【００１２】
【図１】本発明の雨傘の脱水、巻きつけ装置と方法の実施例の説明図
【符号の説明】
【００１３】
２：回転昇降体
２１傘穴
３：螺旋レール
４：受水タンク
【図１】
2005052549.tif 000003